(57)【要約】【課題】破断が容易で、ユーザーの手を傷つけることがなく、機器による製造から搬送に至る段階で詰まりの原因とならないカードを提供する。【解決手段】枠状の額部２と、額部２の枠２ａ内に設けたブリッジ部３ａ，３ｂ，３ｃ，３ｄを介して額部２に支持する本体部４とからなり、ブリッジ部３ａ，３ｂ，３ｃ，３ｄは、額部２側の辺を本体部４側の辺より長い台形とし、本体部４側の辺にはそれぞれ破断線５ａ，５ｂ，５ｃ，５ｄを形成したカード１を構成する。これら破断線を構成する辺の長さはそれぞれが接している本体部４の辺の長さの６分の１から３分の１程度である。本体部は、図１において左上の角付近にレモン形状の保持孔６を備えている。【選択図】図１
2008135022.tif 000002
【特許請求の範囲】
【請求項１】
枠状の額部と、上記額部の枠内に設けられたブリッジ部を介して上記額部に支持される本体部とからなるカードであって、
上記ブリッジ部は、上記額部側の辺が上記本体部側の辺より長い台形を成し、上記本体部側の辺に破断線が形成されたことを特徴とする、カード。
【請求項２】
前記ブリッジ部が前記本体部の四辺のそれぞれについて設けられたことを特徴とする、請求項１に記載のカード。
【請求項３】
前記本体部は、一角付近に保持孔を備えたことを特徴とする、請求項１または２に記載のカード。
【発明の詳細な説明】
【技術分野】
【０００１】
本発明はカードに係り、特に、枠状の額部と額部の枠内にブリッジ部を介して支持される本体部とからなり、この本体部を切り取って使用に供されるカードに関する。
【背景技術】
【０００２】
従来、クレジットカード等の機能性カード、特にＲＦＩＤタグやＩＣチップなどを内蔵したカードは、郵送中の破損を避けるため、カード台紙に貼付された状態で発送される。また、ＳＩＭカードなどの比較的小さいカードでは、枠状の額部の枠内にスリット及びブリッジ部により本体部が画成された状態に形成されるものもある。この場合、郵送時は額部の枠内にブリッジ部を介して本体部が支持された状態で発送され、ユーザーがブリッジ部を破断することで額部から本体部を切り離し、使用に供される。
【０００３】
このようなカードの例を図４に示す。カード５１は、角の丸い長方形の枠状の額部５２と、この額部５２の枠５２ａ内の左右に設けられたブリッジ部５３ａ，５３ｂを介して支持される本体部５４とからなるカードであって、ブリッジ部５３ａ，５３ｂは、額部５２側の辺と本体部５４側の辺とが同一の長さである長方形を成し、ブリッジ部５３ａ，５３ｂの本体部５４側の辺には破断線５５ａ，５５ｂが形成されている。この破断線５５ａ，５５ｂを破断すれば、本体部５４が額部５２から切り離され、カードとして使用することができる。
【０００４】
また、ブリッジ部に回路を配し、ブリッジ部を破断することで額部と本体部とが絶縁され、本体部が使用可能となるなどの機能をブリッジ部に持たせたカードもある。このようなカードの例が、特許文献１〜３に開示されている。
【特許文献１】特表２００３−５０７８２３号公報
【特許文献２】特開２００２−２３６９０２号公報
【特許文献３】特開２００４−３２６３８１号公報
【発明の開示】
【発明が解決しようとする課題】
【０００５】
しかしながら、このようなカードの形状は、ブリッジ部の形状や設置箇所によっては、機器による製造から搬送に至る工程中に詰まりの原因になるほか、ユーザーの使用時に破断部を破断しにくいとか、破断の際に手を傷つけてしまうなどの不都合が生じる可能性がある。
【０００６】
例えば、図４に示すようなカード５１であれば、上辺及び下辺に対し圧縮方向の力がかかれば、額部５２が縦方向に湾曲し、一方、本体部５４は左右のブリッジ部５３ａ，５３ｂのみにより額部５２と連設されており湾曲しないため、額部５２と本体部５４とが面一とならず、本体部５４が額部５２から浮いてしまう。このような状態で機械によるフィーディング等を行うと、機械の詰まりやカードの破損の原因となる。この現象は、カード５１のようにブリッジが本体部の左右のみに設けられている場合の他、上下のみに設けられている場合、左右及び上または下の三辺のみに設けられている場合、一辺のみに設けられている場合にも起こりうる。
【０００７】
また、このカード５１が配送され、ユーザーが破断線５５ａ，５５ｂを破断しようとした場合、ブリッジ部５３ａ，５３ｂの形状が長方形であることから、ブリッジ部５３ａ，５３ｂ全体に力がかかり、破断しにくい。破断した後も、本体部５４を切り取ったことにより露出するブリッジ部５３ａ，５３ｂの角で手を傷つけてしまうことも想定される。これら破断の際の不都合については、ブリッジ部の形状が、額部側の辺が本体部側の辺より短い台形であればさらに顕著であることは明らかである。
【０００８】
本発明は、上記問題点に鑑みてなされたものであり、破断が容易で、ユーザーの手を傷つけることがなく、機器による製造から搬送に至る段階で詰まりの原因となることがないカードを提供することを目的とする。
【課題を解決するための手段】
【０００９】
上記目的を達成するため、本発明のカードは、枠状の額部と、額部の枠内に設けられたブリッジ部を介して額部に支持される本体部とからなり、ブリッジ部は、額部側の辺が本体部側の辺より長い台形を成し、本体部側の辺に破断線が形成されたことを特徴とする。
【００１０】
ブリッジ部は、本体部の四辺のそれぞれについて設けられることが望ましい。
【００１１】
本体部は、一角付近に保持孔を備えてもよい。
【発明の効果】
【００１２】
本発明のカードによれば、ブリッジ部が、その額部側の辺が本体部側の辺より長い台形を成しており、かつ本体部側の辺に破断線が形成されていることから、破断線を破断する際はブリッジ部の短い側の辺、すなわち本体部側の辺に強い力がかかり、破断しやすい。また、破断したことにより露出するブリッジ部の角は鈍角となるため、手を傷つけてしまうことがない。
【００１３】
ブリッジ部が本体部の四辺のそれぞれについて設けられていれば、額部の上下端または左右端にカードを撓ませる方向の力が加わった際にもこの力がブリッジ部を通じて本体部に伝わり、本体部も額部に対応して撓むから、機器に詰まることがない。
【００１４】
本体部の一角付近に保持孔を設ければ、この保持孔に紐や保持具を挿通することにより、本体部を切り取った後、キーホルダーのように吊り下げるなどして使用することができる。なお、特にＩＣカードやＲＦＩＤタグなどに使用する場合は、内蔵される回路との干渉を避けるためにも保持孔は本体部の一角付近に設けることが望ましい。
【発明を実施するための最良の形態】
【００１５】
以下、本発明の好ましい実施の形態を、添付図面を参照しながら詳細に説明する。
図１は本発明のカードの一実施形態を示す平面図であり、図２はそのＡ−Ａ断面図である。本実施形態のカード１は、枠状の額部２と、額部２の枠２ａ内の左右上下に設けられたブリッジ部３ａ，３ｂ，３ｃ，３ｄを介して額部２に支持される本体部４とからなる。
【００１６】
ブリッジ部３ａ，３ｂ，３ｃ，３ｄは、本体部４の四辺のそれぞれの中央近辺に設けられており、額部２側の辺が本体部４側の辺より長い台形を成し、本体部４側の辺にはそれぞれ図中破線で表す破断線５ａ，５ｂ，５ｃ，５ｄが形成されている。これら破断線を構成する辺の長さはそれぞれが接している本体部４の辺の長さの６分の１から３分の１程度である。本体部は、図１において左上の角付近にレモン形状の保持孔６を備えている。
【００１７】
このようなカード１は、外縁・厚みともに全体として通常のクレジットカード規格と同様の寸法であり、四隅は怪我を防ぐために適宜なアールが設けられ、丸みを持った形状となっている。本体部４は、略Ｌ字状であって両端部が長さ方向に対して３０度ほど傾斜した四本のスリット７及び破断線５ａ，５ｂ，５ｃ，５ｄにより画成され、カード１同様、四隅は怪我を防ぐために適宜なアールが設けられ、丸みを持った形状となっている。スリット７の幅は２ミリ程度である。
【００１８】
ブリッジ部３ａ，３ｂ，３ｃ，３ｄも、このスリット７及び破断線５ａ，５ｂ，５ｃ，５ｄを設けることにより本体部４と同時に画成される。破断線５ａ，５ｂ，５ｃ，５ｄは、本体部４の辺に沿って、カード１の厚みの３分の１程度に達するような切込みを行うことで形成される。この切込みはカード１の一面のみから行ってもよく、両面からカードの厚みの９割程度まで達する切込みを入れてもよい。また、断続的な切込線、すなわち破線であってもよい。
【００１９】
保持孔６はアールのついた対角とアールのついていない対角とを有するレモン形状をなしていてよい。この保持孔６に紐等を挿通して本体部４を吊り下げた際には、図中左上の部分に最も力が加わりやすいので、アールのついた一の角部分を本体部４の図中左上の角と同方向に設けることで、紐等との摩擦や引っ張りに対する強度が確保されている。
【００２０】
この保持孔６は、様々な変形例を適用することができる。例えば、図３（Ａ）に示す正方形の保持孔６ａをはじめ、図３（Ｂ）に示すように正方形の隣接する二角にアールをもたせたトンネル形状の保持孔６ｂ、図３（Ｃ）に示すように一角のみにアールをもたせた保持孔６ｃ、図３（Ｄ）に示すような円形の保持孔６ｄ、図３（Ｅ）に示すようなダイヤ形の保持孔６ｅ、図３（Ｆ）に示すようなハート形の保持孔６ｆ、図３（Ｇ）に示すような楕円形の保持孔６ｇ、図３（Ｈ）に示すような星形の保持孔６ｈなどであってもよい。なお、図３では保持孔の形状のみを示し、他の図示を省略している。
保持孔の大きさは、挿通される紐等の対象物によって適宜なものとし、ＩＣカードやＲＦＩＤタグに適用する場合は回路との干渉を避けるためにも４ミリ角程度とすることが望ましい。本体部４に対する角度は強度や利用形態を勘案して適宜設定することができる。
【００２１】
このようなカード１によれば、機械で製造、配送等する際に、カード１の上端と下端、もしくは左右端を圧縮する方向の力が加わってカード１が撓んだ場合にも、額部２に加わった力がブリッジ部３ａ，３ｂ，３ｃまたは３ｄを介して本体部４に伝達され、本体部４が額部２に追従して撓むから、本体部４は額部２と面一のままであり、額部２から浮いてしまうことがない。そのため、機械でのフィーディング等を行っても機械の詰まりやカードの破損の原因となることがない。なお、カード１の対角方向に圧縮方向の力が加わった場合には本体部４の角部が額部２から浮くことになるが、通常、機械によりこのような力が加わることは少ない。
【００２２】
また、カード１がユーザーに届き、ユーザーがこれを使用する際は、本体部４を額部２から切り離す。具体的には、額部２の角部を撓ませて本体部４の角部を浮かせ、さらにカード１の板面方向に額部２と本体部４とを引き離すように力を加えることで破断線５ａ，５ｂ，５ｃ，５ｄを破断し、本体部４を額部２から切り離すことができる。ここで、ブリッジ部３ａ，３ｂ，３ｃ，３ｄは、額部２側の辺が本体部４側の辺より長い台形を成している、すなわちスリット７の破断線５ａ，５ｂ，５ｃ，５ｄと接している部分が鋭角に形成されていることから、ブリッジ部のうち破断線の部分に特に力が加わり、破断線を容易に破断することができる。
【００２３】
本体部４は、額部２から切り離した後単体で使用され、保持孔６に紐や保持具を挿通して吊り下げることでキーホルダーのように使用することもできる。本体部４を切り離すことにより生ずるブリッジ部３ａ，３ｂ，３ｃ，３ｄの角は１５０度程度の鈍角となるため、手を傷つけてしまうことがない。
【００２４】
以上説明したように、本発明のカードは、ブリッジ部が、額部側の辺を本体部側の辺より長い台形とし、本体部側の辺に破断線を形成したものであり、その主旨を逸脱しない範囲内において様々な形態で実施することができる。例えば、カード１はＩＣカード、ＲＦＩＤタグ等の機能性カードに適用することができるし、その場合、破断線部分に回路を通し、これを破断することで額部２側と本体部４側の回路が絶縁されるよう構成することもできる。また、カードの材質は紙、樹脂等であってよく、カードの持つ機能に応じて、説明及び図中の寸法等を適宜変更することができる。
【図面の簡単な説明】
【００２５】
【図１】実施形態のカードを示す平面図である。
【図２】図１の状態におけるＡ−Ａ断面図である。
【図３】保持孔の変形例を示す平面図である。
【図４】従来例のカードを示す平面図である。
【符号の説明】
【００２６】
１      カード
２      額部
２ａ，２ｂ，２ｃ，２ｄ    枠
３ａ，３ｂ，３ｃ，３ｄ    ブリッジ部
４      本体部
５ａ，５ｂ，５ｃ，５ｄ    破断線
６，６ａ〜６ｈ  保持孔
７      スリット
【図１】
2008135022.tif 000003
【図２】
2008135022.tif 000004
【図３】
2008135022.tif 000005
【図４】
2008135022.tif 000006